【事件の表示】
　特願２００２−　１９９７３「ネットワークを介して主コンテンツをダウンロード／アクセスする際に記憶装置にある補助コンテンツを提供する方法及び装置」拒絶査定不服審判事件〔平成１４年１０月３１日出願公開、特開２００２−３１８９６５〕について、次のとおり審決する。
【結　論】
　本件審判の請求は、成り立たない。
【理　由】
１．手続の経緯  
　　  
　本願は、平成１４年１月２９日（パリ条約による優先権主張　２００１年１月２９日　米国）の出願であって、平成１８年１１月１７日付けで拒絶査定がなされ、これに対し、平成１９年２月１６日に拒絶査定に対する審判請求がなされるとともに、平成１９年３月１２日に手続補正がなされ、平成２１年５月１２日付けで平成１９年６月２２日付けの前置報告書を援用した審尋がなされ、平成２１年８月１９日に回答書が提出されたものである。  
　　  
２．平成１９年３月１２日の手続補正についての補正却下の決定  
　　  
［補正却下の決定の結論］  
　　  
　平成１９年３月１２日の手続補正を却下する。  
　　  
［理由］  
２−１．補正の内容について  
　平成１９年３月１２日の手続補正（以下「本件補正」という。）により、特許請求の範囲は以下のとおり補正された。  
（下線は、補正の個所を示すものとして審判請求人が付したものを当審で援用したものである。）  
　　  
　　 《本件補正後》
　  
「　　【請求項１】　サーバから主コンテンツをダウンロードする際に顧客へ補助コンテンツを提供するシステムにおいて、
　ダウンロード管理サーバ、ユーザ情報を記憶する顧客データベース及び主コンテンツを記憶する主コンテンツ・データベースを有するサーバネットワークと、
　双方向通信ネットワークを介して前記ダウンロード管理サーバに接続して該ダウンロード管理サーバに対し通信リンクを確立するクライアント・コンソールと、
　前記クライアント・コンソールにあって、ユーザ識別子及び前記ダウンロード管理サーバからの主コンテンツのダウンロードより前に補助コンテンツを記憶する記憶装置とを備え、
　ユーザ識別子が前記クライアント・コンソールから前記ダウンロード管理サーバへアップロードされ
て
前記クライアント・コンソールから顧客の主コンテンツ要求が前記ダウンロード管理サーバへ送出されると、前記クライアント・コンソールにおいて前記記憶装置に記憶されている前記補助コンテンツの実行が開始され、前記要求した主コンテンツのすべてが前記ダウンロード管理サーバから前記クライアント・コンソールに送出されると、前記記憶装置に記憶されている前記補助コンテンツの実行が停止される
　　【請求項２】　請求項１記載のシステムにおいて、補助コンテンツはユーザの選好に基づいて可変である、システム。
　　【請求項３】　請求項２記載のシステムにおいて、顧客の選好は、顧客が情報設定値を入力することによって、さらに、１つ以上の個別コンテンツの選択候補及び１つ以上のコンテンツ・カテゴリの選択候補から選ばれたものを顧客に供給することによって決定される、システム。
　　【請求項４】　請求項１記載のシステムにおいて、補助コンテンツはディストリビュータの選好に基づいて可変である、システム。
　　【請求項５】　請求項４記載のシステムにおいて、ディストリビュータの選好は、先ず要求されたコンテンツを送出する前に、コンテンツを割り当てるために用いる顧客の選好を前記ダウンロード管理サーバに送出させ、次いで選好データに従って前記記憶装置内に記憶されたコンテンツを前記クライアント・コンソールに実行させることにより決定される、システム。
　　【請求項６】　請求項５記載のシステムにおいて、選好データは１つ以上の個別コンテンツの選択候補及び１つ以上のコンテンツ・カテゴリの選択候補から選択される、システム。
　　【請求項７】　請求項１記載のシステムにおいて、補助コンテンツは通信ネットワークを介して取得されて、前記記憶装置へ配布される、システム。
　　【請求項８】　請求項７記載のシステムにおいて、前記記憶装置はハードディスク・ドライブである、システム。
　　【請求項９】　請求項１記載のシステムにおいて、前記クライアント・コンソールは、更に、該顧客の内部又は外部に配置された固定記憶装置を有し、要求された主コンテンツが該固定記憶装置へダウンロードされる、システム。
　　【請求項１０】　請求項１記載のシステムにおいて、補助コンテンツは可搬形記憶装置で提供され、該可搬形記憶装置は補助コンテンツを記憶する、システム。
　　【請求項１１】　請求項１０記載のシステムにおいて、前記可搬形記憶装置はＣＤ−ＲＯＭである、システム。
　　【請求項１２】　請求項１０記載のシステムにおいて、前記可搬形記憶装置はＣＤ−ＲＯＭである、システム。
　　【請求項１３】　請求項１記載のシステムにおいて、前記記憶装置は、前記クライアント・コンソール内に着脱自在な記憶装置である、システム。
　　【請求項１４】　請求項１３記載のシステムにおいて、前記着脱可能な記憶装置には、複数の補助コンテンツ項目、該補助コンテンツ項目の各々に夫々関連した複数のトリガ・データ項目及びユーザ識別子を有するデータが記憶されている、システム。
　　【請求項１５】　請求項１４記載のシステムにおいて、前記ユーザ識別子は前記ダウンロード管理サーバへアップロードされて、前記主コンテンツ・データベース内の特定のコンテンツへのアクセスを可能にし、前記ユーザ情報は前記クライアント・コンソールにダウンロードされて、前記トリガ・データ項目との比較に基づいて特定の補助コンテンツ項目の実行をトリガする、システム。
　　【請求項１６】　請求項１５記載のシステムにおいて、前記ユーザ識別子は、前記着脱可能な記憶装置を識別する英数字の媒体ＩＤを有している、システム。
　　【請求項１７】　請求項１記載のシステムにおいて、前記補助コンテンツは、画像、映画、音楽、ゲーム、顧客調査及びくじよりなる群から選択される、システム。
　　【請求項１８】　請求項１記載のシステムにおいて、情報が前記ダウンロード管理サーバから前記クライアント・コンソールへダウンロードされて、その情報との比較に基づいて特定の補助コンテンツ項目の実行をトリガする、システム。
　　【請求項１９】　双方向通信ネットワークを介してサーバネットワークから主コンテンツをダウンロードする際に記憶装置から補助コンテンツを提供する方法において、
　内部に前記記憶装置を装着したクライアント・コンソールと、前記サーバネットワークの一部であるダウンロード管理サーバとの間に、前記双方向通信ネットワークを介して通信リンクを確立し、
　前記ダウンロード管理サーバから主コンテンツを検索するために、前記記憶装置に蓄積されているユーザ識別子データと前記ダウンロード管理サーバに対する主コンテンツの要求とを送出し、
　前記クライアント・コンソールへ主コンテンツをダウンロードする際に、前記記憶装置に蓄積されている補助コンテンツにアクセスし、
　顧客か又は主コンテンツのディストリビュータのいずれかによって供給される選好を含むユーザ情報に基づいて、前記クライアント・コンソールによりアクセスすべき補助コンテンツを選択
し、　前記記憶装置に記憶されている前記補助コンテンツの実行を開始し、　前記要求した主コンテンツのすべてが前記ダウンロード管理サーバから前記クライアント・コンソールに送出されると、前記記憶装置に記憶されている前記補助コンテンツの実行を停止
　　【請求項２０】　請求項１９記載の方法において、前記ユーザ識別子データは、前記記憶装置を識別する英数字の媒体ＩＤを有しており、また前記記憶装置は、更に、前記ダウンロード管理サーバへのアクセスを可能にする認証コードを含み、更に、前記媒体ＩＤ及び前記認証コードを前記ダウンロード管理サーバに受け取るステップを含み、前記認証コード及び前記媒体ＩＤの一方により、前記サーバネットワークについてのアクセスが、全ての主コンテンツの中から特定の主コンテンツに限定される、方法。
　　【請求項２１】　請求項１９記載の方法において、前記補助コンテンツにアクセスするステップは、更に、前記ユーザ情報と、前記補助コンテンツを構成する１つ以上の補助コンテンツ項目に関連したトリガ・データとを比較するステップを有する、方法。
　　【請求項２２】　請求項１９記載の方法において、前記ダウンロード管理サーバから前記クライアント・コンソールへダウンロードするステップが、前記クライアント・コンソールの内部又は外部に配置された固定記憶装置に主コンテンツを記憶することを有する、方法。
　　【請求項２３】　双方向通信ネットワークを介してダウンロード管理サーバと接続すると共に、記憶装置が着脱可能なクライアント・コンソールを動作させる方法において、　前記着脱可能な記憶装置が前記クライアント・コンソール内で動作するために前記双方向通信ネットワークへの接続を要求しているか否かを判定し、
　前記着脱可能な記憶装置がネットワーク接続を要求していると判定された場合に、前記双方向通信ネットワークを介してクライアント・コンソールと前記ダウンロード管理サーバとの間に通信リンクを確立し、
　前記記憶装置に蓄積されているユーザ識別子データと、前記ダウンロード管理サーバに対する主コンテンツの要求とを送出し、
　前記ダウンロード管理サーバから前記クライアント・コンソールへ要求された主コンテンツ及びユーザ情報をダウンロードし、
　前記ユーザ情報と、前記補助コンテンツを構成する補助コンテンツ項目に関連したトリガ・データとを比較し、
　前記補助コンテンツの視聴を許可するために前記クライアント・コンソールの制御機能が動作可能か否かを判定
し、
前記記憶装置に記憶されている前記補助コンテンツの実行を開始し、
前記要求した主コンテンツのすべてが前記ダウンロード管理サーバから前記クライアント・コンソールに送出されると、前記記憶装置に記憶されている前記補助コンテンツの実行を停止
　　【請求項２４】　請求項２３記載の方法において、更に、前記クライアント・コンソールのユーザが前記主コンテンツの実行の際に、前記補助コンテンツの再生を無効にするか否かを判定するために連続的に調査するステップを含む、方法。
　　【請求項２５】　サーバから主コンテンツをダウンロードする際に補助コンテンツを提供するシステムにおいて、
　ダウンロード管理サーバと主コンテンツを記憶する主コンテンツ・データベースとを有するサーバネットワークと、
　前記ダウンロード管理サービスからの主コンテンツのダウンロードより前に補助コンテンツを記憶する記憶装置とを備え、
　前記主コンテンツ・データベース内の要求された主コンテンツへのアクセスが可能になると、前記記憶装置に記憶されている補助コンテンツが、前記要求された主コンテンツのダウンロードの際に実行され
、　前記ダウンロード管理サービスから該システムへの主コンテンツのダウンロードが完了すると、前記記憶装置に記憶されている前記補助コンテンツの実行が停止され
　　【請求項２６】　サーバから主コンテンツをダウンロードする際に補助コンテンツを提供するシステムにおいて、
　ダウンロード管理サーバ、顧客情報を記憶する顧客データベース及び主コンテンツを記憶する主コンテンツ・データベースを有するサーバネットワークと、
　前記ダウンロード管理サーバからの主コンテンツのダウンロードより前に補助コンテンツを記憶する記憶装置とを備え、
　顧客識別子が前記ダウンロード管理サーバへアップロードされると、前記主コンテンツ・データベース内の要求された主コンテンツへのアクセスが可能にされ、前記記憶装置に記憶されている補助コンテンツが、前記要求された主コンテンツのダウンロードの際に実行され、
　前記ダウンロード管理サービスから該システムへの主コンテンツのダウンロードが完了すると、前記記憶装置に記憶されている前記補助コンテンツの実行が停止され
　　 
　　  
　　 《本件補正前》
　  
「　　【請求項１】　サーバから主コンテンツをダウンロードする際に顧客へ補助コンテンツを提供するシステムにおいて、
　ダウンロード管理サーバ、ユーザ情報を記憶する顧客データベース及び主コンテンツを記憶する主コンテンツ・データベースを有するサーバネットワークと、
　双方向通信ネットワークを介して前記ダウンロード管理サーバに接続して該ダウンロード管理サーバに対し通信リンクを確立するクライアント・コンソールと、
　前記クライアント・コンソールにあって、ユーザ識別子及び前記ダウンロード管理サーバからの主コンテンツのダウンロードより前に補助コンテンツを記憶する記憶装置とを備
え、
　ユーザ識別子が前記クライアント・コンソールから前記ダウンロード管理サーバへアップロードされると、前記主コンテンツ・データベース内の要求された主コンテンツへのアクセスが可能になり、その要求された主コンテンツのダウンロードの際に、前記クライアント・コンソールが、前記記憶装置に記憶されている補助コンテンツを実行する、システム。
　　【請求項２】　請求項１記載のシステムにおいて、補助コンテンツはユーザの選好に基づいて可変である、システム。
　　【請求項３】　請求項２記載のシステムにおいて、顧客の選好は、顧客が情報設定値を入力することによって、さらに、１つ以上の個別コンテンツの選択候補及び１つ以上のコンテンツ・カテゴリの選択候補から選ばれたものを顧客に供給することによって決定される、システム。
　　【請求項４】　請求項１記載のシステムにおいて、補助コンテンツはディストリビュータの選好に基づいて可変である、システム。
　　【請求項５】　請求項４記載のシステムにおいて、ディストリビュータの選好は、先ず要求されたコンテンツを送出する前に、コンテンツを割り当てるために用いる顧客の選好を前記ダウンロード管理サーバに送出させ、次いで選好データに従って前記記憶装置内に記憶されたコンテンツを前記クライアント・コンソールに実行させることにより決定される、システム。
　　【請求項６】　請求項５記載のシステムにおいて、選好データは１つ以上の個別コンテンツの選択候補及び１つ以上のコンテンツ・カテゴリの選択候補から選択される、システム。
　　【請求項７】　請求項１記載のシステムにおいて、補助コンテンツは通信ネットワークを介して取得されて、前記記憶装置へ配布される、システム。
　　【請求項８】　請求項７記載のシステムにおいて、前記記憶装置はハードディスク・ドライブである、システム。
　　【請求項９】　請求項１記載のシステムにおいて、前記クライアント・コンソールは、更に、該顧客の内部又は外部に配置された固定記憶装置を有し、要求された主コンテンツが該固定記憶装置へダウンロードされる、システム。
　　【請求項１０】　請求項１記載のシステムにおいて、補助コンテンツは可搬形記憶装置で提供され、該可搬形記憶装置は補助コンテンツを記憶する、システム。
　　【請求項１１】　請求項１０記載のシステムにおいて、前記可搬形記憶装置はＣＤ−ＲＯＭである、システム。
　　【請求項１２】　請求項１０記載のシステムにおいて、前記可搬形記憶装置はＣＤ−ＲＯＭである、システム。
　　【請求項１３】　請求項１記載のシステムにおいて、前記記憶装置は、前記クライアント・コンソール内に着脱自在な記憶装置である、システム。
　　【請求項１４】　請求項１３記載のシステムにおいて、前記着脱可能な記憶装置には、複数の補助コンテンツ項目、該補助コンテンツ項目の各々に夫々関連した複数のトリガ・データ項目及びユーザ識別子を有するデータが記憶されている、システム。
　　【請求項１５】　請求項１４記載のシステムにおいて、前記ユーザ識別子は前記ダウンロード管理サーバへアップロードされて、前記主コンテンツ・データベース内の特定のコンテンツへのアクセスを可能にし、前記ユーザ情報は前記クライアント・コンソールにダウンロードされて、前記トリガ・データ項目との比較に基づいて特定の補助コンテンツ項目の実行をトリガする、システム。
　　【請求項１６】　請求項１５記載のシステムにおいて、前記ユーザ識別子は、前記着脱可能な記憶装置を識別する英数字の媒体ＩＤを有している、システム。
　　【請求項１７】　請求項１記載のシステムにおいて、前記補助コンテンツは、画像、映画、音楽、ゲーム、顧客調査及びくじよりなる群から選択される、システム。
　　【請求項１８】　請求項１記載のシステムにおいて、情報が前記ダウンロード管理サーバから前記クライアント・コンソールへダウンロードされて、その情報との比較に基づいて特定の補助コンテンツ項目の実行をトリガする、システム。
　　【請求項１９】　双方向通信ネットワークを介してサーバネットワークから主コンテンツをダウンロードする際に記憶装置から補助コンテンツを提供する方法において、
　内部に前記記憶装置を装着したクライアント・コンソールと、前記サーバネットワークの一部であるダウンロード管理サーバとの間に、前記双方向通信ネットワークを介して通信リンクを確立し、
　前記ダウンロード管理サーバから主コンテンツを検索するために、前記記憶装置に蓄積されているユーザ識別子データと前記ダウンロード管理サーバに対する主コンテンツの要求とを送出し、
　前記クライアント・コンソールへ主コンテンツをダウンロードする際に、前記記憶装置に蓄積されている補助コンテンツにアクセスし、
　顧客か又は主コンテンツのディストリビュータのいずれかによって供給される選好を含むユーザ情報に基づいて、前記クライアント・コンソールによりアクセスすべき補助コンテンツを選択する、諸ステップを含む、方法。
　　【請求項２０】　請求項１９記載の方法において、前記ユーザ識別子データは、前記記憶装置を識別する英数字の媒体ＩＤを有しており、また前記記憶装置は、更に、前記ダウンロード管理サーバへのアクセスを可能にする認証コードを含み、更に、前記媒体ＩＤ及び前記認証コードを前記ダウンロード管理サーバに受け取るステップを含み、前記認証コード及び前記媒体ＩＤの一方により、前記サーバネットワークについてのアクセスが、全ての主コンテンツの中から特定の主コンテンツに限定される、方法。
　　【請求項２１】　請求項１９記載の方法において、前記補助コンテンツにアクセスするステップは、更に、前記ユーザ情報と、前記補助コンテンツを構成する１つ以上の補助コンテンツ項目に関連したトリガ・データとを比較するステップを有する、方法。
　　【請求項２２】　請求項１９記載の方法において、前記ダウンロード管理サーバから前記クライアント・コンソールへダウンロードするステップが、前記クライアント・コンソールの内部又は外部に配置された固定記憶装置に主コンテンツを記憶することを有する、方法。
　　【請求項２３】　双方向通信ネットワークを介してダウンロード管理サーバと接続すると共に、記憶装置が着脱可能なクライアント・コンソールを動作させる方法において、
　前記着脱可能な記憶装置が前記クライアント・コンソール内で動作するために前記双方向通信ネットワークへの接続を要求しているか否かを判定し、
　前記着脱可能な記憶装置がネットワーク接続を要求していると判定された場合に、前記双方向通信ネットワークを介してクライアント・コンソールと前記ダウンロード管理サーバとの間に通信リンクを確立し、
　前記記憶装置に蓄積されているユーザ識別子データと、前記ダウンロード管理サーバに対する主コンテンツの要求とを送出し、
　前記ダウンロード管理サーバから前記クライアント・コンソールへ要求された主コンテンツ及びユーザ情報をダウンロードし、
　前記ユーザ情報と、前記補助コンテンツを構成する補助コンテンツ項目に関連したトリガ・データとを比較し、
　前記補助コンテンツの視聴を許可するために前記クライアント・コンソールの制御機能が動作可能か否かを判定する、諸ステップを含む、方法。
　　【請求項２４】　請求項２３記載の方法において、更に、前記クライアント・コンソールのユーザが前記主コンテンツの実行の際に、前記補助コンテンツの再生を無効にするか否かを判定するために連続的に調査するステップを含む、方法。
　　【請求項２５】　サーバから主コンテンツをダウンロードする際に補助コンテンツを提供するシステムにおいて、
　ダウンロード管理サーバと主コンテンツを記憶する主コンテンツ・データベースとを有するサーバネットワークと、
　前記ダウンロード管理サービスからの主コンテンツのダウンロードより前に補助コンテンツを記憶する記憶装置とを備え、
　前記主コンテンツ・データベース内の要求された主コンテンツへのアクセスが可能になると、前記記憶装置に記憶されている補助コンテンツが、前記要求された主コンテンツのダウンロードの際に実行される、システム。
　　【請求項２６】　サーバから主コンテンツをダウンロードする際に補助コンテンツを提供するシステムにおいて、
　ダウンロード管理サーバ、顧客情報を記憶する顧客データベース及び主コンテンツを記憶する主コンテンツ・データベースを有するサーバネットワークと、
　前記ダウンロード管理サーバからの主コンテンツのダウンロードより前に記憶装置に記憶された補助コンテンツを記憶する記憶装置とを備え、
　顧客識別子が前記ダウンロード管理サーバへアップロードされると、前記主コンテンツ・データベース内の要求された主コンテンツへのアクセスが可能にされ、前記記憶装置に記憶されている補助コンテンツが、前記要求された主コンテンツのダウンロードの際に実行される、システム。」  
　　  
　　  
２−２．補正の目的について  
　本件補正の目的について以下に検討する。  
　　  
　本件補正後の請求項１ないし請求項２６は、本件補正前の請求項１ないし請求項２６にそれぞれ対応するものであると認められる。
　　
　審判請求人の審判請求書における主張を要すれば、本件補正は本件補正前の請求項１，１９，２３，２５，２６の各請求項に記載された発明を特定するために必要な事項を限定するものであって、特許請求の範囲の減縮に当たるものであり、特許法第１７条の２第４項第２号に規定される事項を目的とするものであるとの主張であると理解できる。
　
　そこでまず請求項１に係る本件補正の目的について検討する。
　
　請求項１に係る本件補正は、本件補正前の、
「ユーザ識別子が前記クライアント・コンソールから前記ダウンロード管理サーバへアップロードされると、前記主コンテンツ・データベース内の要求された主コンテンツへのアクセスが可能になり、その要求された主コンテンツのダウンロードの際に、前記クライアント・コンソールが、前記記憶装置に記憶されている補助コンテンツを実行する」
との事項を、
「ユーザ識別子が前記クライアント・コンソールから前記ダウンロード管理サーバへアップロードされ
て
前記クライアント・コンソールから顧客の主コンテンツ要求が前記ダウンロード管理サーバへ送出されると、前記クライアント・コンソールにおいて前記記憶装置に記憶されている前記補助コンテンツの実行が開始され、前記要求した主コンテンツのすべてが前記ダウンロード管理サーバから前記クライアント・コンソールに送出されると、前記記憶装置に記憶されている前記補助コンテンツの実行が停止される
との事項に補正する事項（以下「請求項１補正事項」という。）を含むものである。
　請求項１補正事項は、「主コンテンツのダウンロードの際に、クライアント・コンソールが、憶装置に記憶されている補助コンテンツを実行する」との事項を、「クライアント・コンソールから顧客の主コンテンツ要求が前記ダウンロード管理サーバへ送出されると、前記クライアント・コンソールにおいて前記記憶装置に記憶されている前記補助コンテンツの実行が開始され、前記要求した主コンテンツのすべてが前記ダウンロード管理サーバから前記クライアント・コンソールに送出されると、前記記憶装置に記憶されている前記補助コンテンツの実行が停止される」との事項に補正するものであり、補助コンテンツの実行に係る事項を限定するものであることから、発明を特定するために必要な事項を限定的に減縮するものである。
　
　したがって請求項１補正事項は、特許法第１７条の２第４項第２号に掲げる特許請求の範囲の減縮を目的とするものである。
　
　その他請求項に係る本件補正は、実質的に請求項１補正事項と同様の補正事項を含むものであることから、その他請求項に係る本件補正も、特許法第１７条の２第４項第２号に掲げる特許請求の範囲の減縮を目的とするものである。
　  
　以上のとおりであることから、本件補正は、平成１８年法律第５５号改正附則第３条第１項によりなお従前の例によるとされる同法による改正前の特許法第１７条の２第４項第２号に掲げる特許請求の範囲の減縮（第３６条第５項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）を目的とするものに該当する。  
　　  
　　  
２−３．独立特許要件について  
　　  
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。  
　　  
（１）引用例について  
　原査定の拒絶理由で引用された特開２０００−１３７７２１号公報（以下「引用例」という。）には、図面とともに、以下の事項が記載されていると認められる。  
（なお、下線は当審で付加したものである。）  
　　  
（ア）「【０００１】
【発明の属する技術分野】本発明は、情報提供システムおよび情報表示装置に関し、特に広告名を送信することで
広告情報を表示させる情報提供システムおよび情報表示装置に関する
　　  
（イ）「【００３２】
【発明の実施の形態】（実施形態１）図１は、本発明の第１実施形態における情報提供システムを示すブロック図である。
【００３３】図１に示される
情報提供システム１００は、情報提供装置１０１、端末装置１０２および通信回線３を備えている。情報提供装置１０１は広告情報を有する。端末装置１０２は、情報提供装置１０１から送信される広告情報などを受信し、表示する。通信回線３は、情報提供装置１０１と端末装置１０２との間で情報をやり取りできるように、それらの間を接続する
【００３４】
情報提供装置１０１は
端末装置１０２に対して広告情報を送信する
情報検索要求および情報提供要求が受信された場合
情報提供装置１０１は、情報検索および情報提供に先立って既に送信された広告情報の広告名（広告のタイトル）を送信する
【００３５】
端末装置１０２は
前記受信された広告情報を格納する広告情報格納部２３を少なくとも備えている
端末装置１０２は、情報検索要求および情報提供要求が送信された後、端末装置１０２が、情報提供装置１０１から前記送信される広告名を受信し、情報提供装置１０１から検索結果や情報提供が前記端末装置に送信されるまでの間、前記受信された広告名に対応する広告情報を前記記憶装置から検索し、検索された結果を表示する
【００３６】以下に、具体的な情報提供装置１０１および端末装置１０２の構成を説明する。
【００３７】情報提供装置１０１は、通信回線３を介して端末装置１０２および他の情報提供装置（図示されず）と接続し、情報のやり取りを行う送受信部１０と、
提供すべき情報を蓄積している情報蓄積部１１
端末装置１０２に対して送信を済ませた広告情報の広告名を格納する送信済み広告名格納部１２
端末装置１０２からの情報検索要求および情報提供要求に従って、情報蓄積部１１または他の情報提供装置（図示されず）から情報を検索し、検索結果である情報を端末装置１０２に送信するように送受信部１０に指示する中央制御部１３とを備えている
【００３８】なお、情報蓄積部１１は、端末装置操作者所望情報１１０および情報提供者が送信する広告情報１１１を格納している。端末装置操作者所望情報１１０とは、端末装置１０２を操作している人が必要として検索および情報提供を要求した結果、得られた情報のことである。
【００３９】端末装置１０２は、情報検索要求および情報提供要求などを行うキーボードまたはボタンなどの入力部２０と、検索された情報および情報提供を要求した情報などを表示する表示部２１と、通信回線３を介して情報提供装置１０１とのデータのやり取りを行う送受信部２２と、
情報提供装置１０１から送信されてくる広告情報を格納する広告情報格納部２３と
広告情報格納部２３に格納されている広告情報から、広告名にて指定された広告情報を検索する広告情報検索部２４と、それら２０〜２４を制御する中央制御部２５を備えている
【００４０】
情報提供装置１０１の中央制御部１３は、端末装置１０２に広告情報１１１を送信する
格納した広告名の一部または全部を端末装置１０２に送信する
【００４１】一方、
端末装置１０２の中央制御部２５は、入力部２０から入力された情報検索要求および情報提供要求を
情報提供装置１０１に送信する
【００４２】情報提供装置１０１から送信された情報が端末装置操作者所望情報１１０でない場合、情報提供装置１０１から送信された情報が、広告情報１１１であるか、または広告名であるかを中央制御部２５が判定する。
【００４３】情報提供装置１０１から送信された情報が広告情報１１１である場合、中央制御部２５が、情報提供装置１０１から送信された情報を広告情報格納部２３に格納する。情報提供装置１０１から送信された情報が広告名である場合、中央制御部２５が、情報提供装置１０１から送信された情報を広告情報検索部２４に送出し、広告情報格納部２３に格納されている広告情報から該当する広告を検索する。検索の結果、該当する広告情報が表示部２１に表示される。
【００４４】図２は、情報提供装置１０１の処理および端末装置１０２の処理の流れを示す図である。図２の中で、中央より左側には端末装置１０２の動作を示し、中央より右側には情報提供装置１０１の動作を示している。また、中央の、破線の矢印および点線の矢印は、通信回線３を介した情報の送受信を表している。
【００４５】
ユーザは
端末装置１０２を情報提供装置１０１に接続
【００４６】端末装置１０２は、情報提供装置１０１から送信された初期画面を受信し、初期画面を表示部２１に表示し、ユーザからの情報検索要求および情報提供要求などの要求を待つ（ステップ３２）。
【００４７】
情報提供装置１０１の中央制御部１３は、端末装置１０２から情報検索要求および情報提供要求などの要求が送信されてくるまでの間、情報蓄積部１１に格納されている広告情報１１１を端末装置１０２に送信する
【００４８】
端末装置１０２が広告情報１１１を受け取ると、端末装置１０２の中央制御部２５が広告情報１１１を広告情報格納部２３に格納する
【００４９】この格納は、広告情報格納部２３の記憶容量の上限に達すると停止し、或いは、ユーザからの情報検索要求および情報提供要求が入力されると停止する。
【００５０】この広告情報は、端末装置１０２の電源をＯＮにし、端末装置１０２を情報提供装置１０１に接続した後、受信するようにしているが、たとえば、夜の間とかのように、端末装置１０２を操作していない時間に通信回線３を介して受信するようにしてもよい。
【００５１】
端末装置１０２で、ユーザからの要求が検知されると、この要求が情報提供装置１０１に送信される
情報提供装置１０１は
送信済みの広告名の内、任意の一つを端末装置１０２に送信
受信した要求の処理を開始すべく、端末装置操作者所望情報１１０のデータを検索する
【００５２】
端末装置１０２は
情報提供装置１０１から送信されてきた広告名を受信し、この広告名に該当する広告情報を広告情報検索部２４にて広告情報格納部２３中から検索し、該当する広告情報を表示する
この間に情報提供装置１０１は、ユーザからの要求を処理し、処理結果を端末装置１０２に送信する
この間とは、端末装置１０２が情報提供装置１０１から送信されてくる広告名を受信し、この広告名に該当する広告情報を検索し、表示している間を意味する
【００５３】ステップ３８では、たとえば一定の時間内に処理結果が出なければ、情報提供装置１０１は、送信済み広告名格納部１２から別の広告名を抽出し、抽出した広告名を端末装置１０２に送信するように、処理時間に応じて端末装置１０２に送信する広告名情報を制御してもよい。この場合、情報提供装置１０１は、情報提供装置１０１から広告名を受信すると、中央制御部２５の処理はステップ３７に戻り、広告情報格納部２３中から広告名に該当する広告情報を検索し、該当する広告情報を表示し、処理結果が送信されてくるまで待つ。
【００５４】
処理結果が送信されてきた場合は、送信されてきた所望情報が表示部２１に表示された後、ユーザのキー入力による次の要求
を待つ
【００５５】ユーザの要求待ちに移行した後、処理はステップ３４に戻る。また、情報提供装置１０１は、ステップ３８にて処理結果を端末装置１０２に送信した後、処理はステップ３３に戻る。
【００５６】情報提供装置１０１が端末装置１０２に送信する広告情報１１１、広告名、端末装置操作者所望情報１１０は、それらの先頭にコードを付加することにより、区別されてもよい。端末装置１０２は、付加されたコードによって、送信されてきた情報が、広告情報１１１、広告名、および端末装置操作者所望情報１１０のいずれであるかであるかを識別し、それぞれに応じた処理を行うことができる。」  
　
（ウ）「【００８０】（実施形態５）図６は、本発明の第５実施形態における情報提供システム５００を示すブロック図である。
【００８１】図６に示される
情報提供システム５００は、情報提供装置５０１、端末装置５０２および通信回線３を備えている
【００８２】
情報提供装置５０１は、図１に示す情報提供装置１０１の構成に、個人情報解析部１８を加えたものである。また、端末装置５０２は、図１に示す端末装置１０２の構成に、個人情報格納部２６を加えたものである
【００８３】具体的には、
情報提供装置５０１は、端末装置２から送信されてくる個人情報を受信し、解析する個人情報解析部１８を備えている。また、端末装置５０２は、端末装置５０２を使用するユーザの趣味や、興味ある内容について、記録する個人情報格納部２６を備えている
【００８４】図７は、情報提供装置５０１の処理および端末装置５０２の処理の流れを示す図である。図７の中で、中央より左側には端末装置５０２の動作を示し、中央より右側には情報提供装置５０１の動作を示している。また、中央の、破線の矢印および点線の矢印は、通信回線３を介した情報の送受信を表している。
【００８５】
ユーザは
端末装置５０２を情報提供装置５０１に接続し、端末装置５０２は、個人情報格納部２６に格納されている個人情報を情報提供装置５０１に送信する
【００８６】情報提供装置５０１は、送信された個人情報を受信した後、送信した個人情報の解析を行い、その後、端末装置５０２に初期画面を送出する。（ステップ４１）。この場合に、情報提供装置５０１が初期画面を複数個保有しておき、送信された個人情報に適した初期画面を送出することも可能である。
【００８７】
端末装置５０２は
を表示部２１に表示し、
【００８８】
情報提供装置５０１の中央制御部１３は、端末装置５０２から情報検索要求および情報提供要求などの要求が送信されてくるまでの間、情報蓄積部１１に格納されている広告情報１１１を端末装置５０２に送信すると共に、送信した広告情報１１１中の広告名を送信済み広告名格納部１２に格納する
【００８９】
端末装置５０２が広告情報１１１を受け取ると、上述した端末装置１０２と同様に、端末装置５０２の中央制御部２５が広告情報１１１を広告情報格納部２３に格納する
【００９０】
端末装置５０２で、ユーザからの要求が検知されると、この要求が情報提供装置５０１に送信される
【００９１】
情報提供装置５０１が端末装置５０２からの要求を受信すると、情報提供装置５０１の個人情報解析部１８が解析した個人情報に適した広告名を端末装置５０２に送信する
【００９２】
その後、受信した要求の処理を開始すべく、端末装置操作者所望情報１１０のデータを検索する
【００９３】
端末装置５０２は、情報提供装置５０１から個人情報に関する広告名を受信し、この広告名に該当する広告情報を広告情報検索部２４にて広告情報格納部２３中から検索し、該当する広告情報を表示する
情報提供装置５０１は、ユーザからの要求を処理し、処理結果を端末装置５０２に送信する
【００９４】
端末装置５０２は、端末装置１０２のステップ３９と同様の処理を行う
上述した処理により、たとえば、情報提供装置５０１に接続してきたユーザの趣味が読書およびスポーツである場合、書籍やスポーツに関した広告名が選択され、選択されたものが端末装置５０２に送信される。これにより、情報提供装置５０１に接続してきたユーザにもっとも適した広告情報を送信することができるようになる。」
　　 
　上記摘記事項（ウ）によれば、引用例の実施形態５は実施形態１を前提としているものと理解できるので、実施形態１の記載事項を参照しつつ実施形態５の記載事項を参照すると、引用例には以下の発明（以下「引用例発明」という。）が記載されている。
　　  
「ユーザの要求に応じて端末操作者所望情報を検索する際にユーザへ広告情報を表示する情報提供システムにおいて、
　中央制御部、個人情報解析部、及び端末操作者所望情報を有する情報提供装置と、
　通信回線を介して中央制御部に接続して中央制御部に対し通信リンクを確立する端末装置と、
　端末装置は、個人情報格納部及び中央制御部への端末操作者所望情報のユーザの要求より前に広告情報を記憶する広告情報格納部を有し、
　個人情報が端末装置から情報提供装置へアップロードされて、端末装置からユーザの要求が中央制御部へ送出されると、個人情報に適した広告名を端末装置へ送信し、端末装置において広告情報格納部に記憶されている広告名に該当する広告情報を表示し、情報提供装置がユーザの要求を処理し、処理結果を端末装置に送信すると、端末装置が端末操作者所望情報を表示する、情報提供システム。」 
　　 
　  
（２）対比  
　本願補正発明と引用例発明とを対比する。  
　　  
　引用例発明の、「ユーザ」、「通信回線」、「広告情報」、「表示」は、それぞれ本願補正発明の、「顧客」、「双方向通信ネットワーク」、「補助コンテンツ」、「実行」に相当する。 
　　
　引用例発明の「個人情報」と本願補正発明の「ユーザ識別子」とは、「ユーザを識別する情報」である点で一致する。
　　
　引用例発明の、「中央制御部」は、情報提供装置にあって、通信回線を介して通信リンクを確立されて端末装置に接続され、ユーザを識別する情報である個人情報が端末装置から情報提供装置へアップロードされ、端末装置から「ユーザ」の「要求」が該「中央制御部」に送られると、「情報提供装置」が「ユーザ」の「要求」を処理するものであることから、本願補正発明の「ダウンロード管理サーバ」とは、「情報提供を管理する装置」という概念で共通する。
　引用例発明の「個人情報解析部」は情報提供装置にあって、ユーザの情報を記憶しているものであることから、本願補正発明の「ユーザ情報を記憶する顧客データベース」に相当する。
　引用例発明の「端末操作者所望情報」と、本願補正発明の「主コンテンツ」とは、「顧客が所望する情報」という概念に包摂される。
　そして引用例発明は、「顧客が所望する情報」である「端末操作者所望情報」を記憶する「データベース」を有していると考えることが自然である。
　してみると、引用例発明の「情報提供装置」は、後記の相違点はあるものの、本願補正発明の「サーバネットワーク」に相当する。
　　
　引用例発明の「広告情報格納部」は、中央制御部への端末操作者所望情報のユーザの要求より前に広告情報を記憶するものであるから、本願補正発明の「補助コンテンツを記憶する記憶装置」に相当する。
　そして引用例発明の「端末装置」は、ユーザを識別する情報である「個人情報」を格納し、広告情報格納部を有するものであるから、本願補正発明の「クライアント・コンソール」に相当する。
　してみると、引用例発明の、「端末装置は、個人情報格納部及び中央制御部への端末操作者所望情報のユーザの要求より前に広告情報を記憶する広告情報格納部を有する」ことと、本願補正発明の「クライアント・コンソールにあって、ユーザ識別子及びダウンロード管理サーバからの主コンテンツのダウンロードより前に補助コンテンツを記憶する記憶装置とを備える」こととは、「クライアント・コンソールにあって、ユーザを識別する情報及び情報提供を管理する装置からの顧客が所望する情報の要求より前に補助コンテンツを記憶する記憶装置とを備える」点で共通する。
　
　引用例発明は、「個人情報が端末装置から情報提供装置へアップロードされて、端末装置からユーザの要求が中央制御部へ送出されると、個人情報に適した広告名を端末装置へ送信し、端末装置において広告情報格納部に記憶されている広告名に該当する広告情報を表示」するものであることから、本願補正発明の「ユーザ識別子がクライアント・コンソールからダウンロード管理サーバへアップロードされて、クライアント・コンソールから顧客の主コンテンツ要求がダウンロード管理サーバへ送出されると、クライアント・コンソールにおいて記憶装置に記憶されている前記補助コンテンツの実行が開始」されることとは、「ユーザを識別する情報がクライアント・コンソールから情報提供を管理する装置へアップロードされて、クライアント・コンソールから顧客が所望する情報の要求が情報提供を管理する装置へ送出されると、クライアント・コンソールにおいて記憶装置に記憶されている補助コンテンツの実行が開始」される点で共通する。
　
　引用例発明は、「情報提供装置がユーザの要求を処理し、処理結果を端末装置に送信すると、端末装置が端末操作者所望情報を表示」するものであり、「端末操作者所望情報を表示」することにより、「広告情報」である「補助コンテンツ」の「表示」つまり「実行」が停止されることはあきらかであることから、本願補正発明の「要求した主コンテンツのすべてがダウンロード管理サーバからクライアント・コンソールに送出されると、記憶装置に記憶されている補助コンテンツの実行が停止」されることとは、「顧客が所望する情報が情報提供を管理する装置からクライアント・コンソールに送出されると、顧客が所望する情報をクライアント・コンソールに表示し、記憶装置に記憶されている補助コンテンツの実行が停止」される点で共通する。
　　
　以上のとおりであることから、引用例発明の「ユーザの要求に応じて端末操作者所望情報を検索する際にユーザへ広告情報を表示する情報提供システム」と、本願補正発明の「サーバから主コンテンツをダウンロードする際に顧客へ補助コンテンツを提供するシステム」とは、「サーバから顧客が所望する情報をダウンロードする際に顧客へ補助コンテンツを提供するシステム」である点で共通する。
　　　  
　そうすると、本願補正発明と引用例発明は、  
　　  
「サーバから顧客が所望する情報をダウンロードする際に顧客へ補助コンテンツを提供するシステムにおいて、
　情報提供を管理する装置、ユーザ情報を記憶する顧客データベース及び顧客が所望する情報を記憶するデータベースを有するサーバネットワークと、
　双方向通信ネットワークを介して前記情報提供を管理する装置に接続して該情報提供を管理する装置に対し通信リンクを確立するクライアント・コンソールと、
　前記クライアント・コンソールにあって、ユーザを識別する情報、及び前記情報提供を管理する装置からの前記顧客が所望する情報の要求より前に補助コンテンツを記憶する記憶装置とを備え、
　前記ユーザを識別する情報が前記クライアント・コンソールから前記情報提供を管理する装置へアップロードされて、前記クライアント・コンソールから前記顧客が所望する情報の要求が前記情報提供を管理する装置へ送出されると、前記クライアント・コンソールにおいて前記記憶装置に記憶されている前記補助コンテンツの実行が開始され、
　前記顧客が所望する情報が前記情報提供を管理する装置から前記クライアント・コンソールに送出されると、前記顧客が所望する情報を前記クライアント・コンソールに表示し、前記記憶装置に記憶されている前記補助コンテンツの実行が停止される、
　システム。」  
　　  
である点で一致し、以下の点で相違する。  
　　  
［相違点１］  
　本願補正発明では、「情報提供を管理する装置」が「ダウンロード管理サーバ」であり、「ユーザを識別する情報」が「ユーザ識別子」であるのに対し、引用例発明ではそのようになっていない点。 
　　 
［相違点２］ 
　本願補正発明では、「顧客が所望する情報」が「主コンテンツ」であり、「サーバネットワーク」が有する「データベース」が「主コンテンツ・データベース」であり、「補助コンテンツの記憶」が「主コンテンツのダウンロードより前」に行われ、「補助コンテンツの実行の開始」が「クライアント・コンソールから顧客の主コンテンツ要求がダウンロード管理サーバへ送出される」となされるものであり、「補助コンテンツの実行の停止」が「主コンテンツのすべてがクライアントコンソールに送出される」となされるものであるのに対し、引用例発明ではそのようになっていない点。 
　　 
　　  
（３）判断  
　　  
　上記相違点について、以下に検討する。  
　　  
［相違点１について］  
 　情報提供、すなわちユーザ端末へのダウンロードを管理する装置としてサーバを設けることは、当業者が適宜なし得る設計的事項であり、ユーザを識別する情報としてユーザ識別子を採用することもまた、当業者が適宜なし得る設計的事項である。
　してみると引用例発明に当該設計的事項を適用し、もって「情報提供を管理する装置」として「ダウンロード管理サーバ」を採用し、「ユーザを識別する情報」として「ユーザ識別子」を採用することには何ら困難性がなく、当業者が容易に想到することができたものである。
　　 
［相違点２について］ 
　顧客が主コンテンツを所望する際、当該主コンテンツをネットワーク接続されたサーバよりダウンロードすること、ダウンロードに要する時間を利用して、あらかじめ記憶された広告情報を顧客端末に表示することは周知の事項である。（以下「周知事項」という。）
（例えば、
　　特開平１０−２５４９６６号公報には、
「【０００３】このため、従来はユーザはコンテンツデータを実際に見ることが可能になるまでの間は、ただ待っているより他はなかった。従って、ユーザにとっては、コンテンツデータが目に見える状態になるまでの間はまったく無駄に消費されてしまうという問題があった。
【０００４】このような事情から、上述のような待ち時間を利用して予め用意された特定の種類の情報、たとえば商業広告等を表示するようにして、ユーザに退屈感を与えないようにすることが考えられる。」
と記載されており、
　　特開平１０−１０７８５０号公報には、
「【０００３】
【発明が解決しようとする課題】しかし、上記従来のインターネットでは、端末とサイトとの接続およびサイトから端末へのデータ転送に時間がかかるため、データを受信するまでの時間が無駄になるという問題がある。しかも、データが受信されるまでの回線接続料金が高くなるという問題もある。
【０００４】そこで、本発明は、他のコンピュータから情報を受信するまでの間に中継手段から一のコンピュータへ所定の情報を送信し、その所定の情報を一のコンピュータにより再生することにより、情報を受信するまでの待機時間の有効活用を図ることができる情報通信システムを実現することを目的とする。」
と記載されており、
　　特開平０９−３２５９３８号公報には、
「【要約】【課題】アプリケーションの起動時間やアクセス時間等に生じる待ち時間中、画像や音声により広告等のメッセージを報知することにより、ユーザの待ち時間を有効に活用すると共に、ユーザの費用負担等を減少させることが出来る技術を提供することにある。」
と、それぞれ記載されている。）
　してみると、引用例発明に当該周知事項を適用し、もって「顧客が所望する情報」を「主コンテンツ」とし、「サーバネットワーク」が有する「データベース」を「主コンテンツ・データベース」とし、「補助コンテンツの記憶」を「主コンテンツのダウンロードより前」に行うよう構成し、「補助コンテンツの実行の開始」を「クライアント・コンソールから顧客の主コンテンツ要求がダウンロード管理サーバへ送出される」と開始されるよう構成し、「補助コンテンツの実行の停止」を「主コンテンツのすべてがクライアントコンソールに送出される」と停止されるよう構成することには、何ら困難性がなく、当業者が容易に想到することができたものである。
　　
　　 
（４）審判請求人の主張の参酌  
　審判請求人は、当審の審尋に対する回答書において、以下のとおり主張している。  
　　  
「【回答の内容】
（途中略）
　しかし、新たな引用文献では、新たなエリアに入った場合に、ホームページがないときに、それに代えて一般広告情報が表示部４４に表示されるようになっているというだけで、新たな引用文献には、ホームページのダウンロード中に一般広告情報が表示されることは明確には記載されていません。
（途中略）
新たな引用文献に対し、本発明に係るシステムでは、まず、記憶装置に、主コンテンツのダウンロードより前に、補助コンテンツが記憶されます。次に、ユーザ識別子がクライアント・コンソールからダウンロード管理サーバへアップロードされて、主コンテンツ要求により主コンテンツのダウンロードが開始されると、クライアント・コンソールにおいて、記憶装置に記憶されている補助コンテンツの実行が開始されます。その後、主コンテンツのすべてのダウンロードが完了すると、補助コンテンツの実行は停止されます。 
 　端的に述べると、本発明では、補助コンテンツの実行は、主コンテンツ要求により主コンテンツのダウンロードが開始されてから、そのダウンロードが完了するまでの間の期間を十分に活用して行われます。そのように、本発明は、主コンテンツのダウンロードの時間を有効に活用するという課題を有するものです。 
（途中略）
　本発明はいずれの引用文献からも、また、たとえいずれかの引用文献を組み合わせることができたとしてもそれからも容易に発明できたものではないので、特許法第２９条第２項に該当せず、特許を受けることができるものです。」  
　　  
　　
　上記審判請求人の主張について検討すると、当審の審尋で援用した前置報告の新たな引用文献が、審判請求人主張のとおりのものであったとしても、審判請求人の主張に対する当審の判断は前記（３）の［相違点２について］で判断したとおりであり、上記審判請求人の主張はこれを採用することはできない。  
　　  
　　  
（５）結論  
　以上のとおりであることから、上記相違点１，２に係る本願補正発明の構成は、引用例発明並びに設計的事項及び周知事項から当業者が容易に想到することができたものである。  
　そして、本願補正発明の作用効果も、引用例に記載される事項並びに設計的事項及び周知事項から当業者が予測できる範囲のものである。  
　　  
　　  
（６）独立特許要件についての結論　　　  
　したがって、本願補正発明は、引用例発明並びに設計的事項及び周知事項に基づいて、当業者が容易に発明をすることができたものであるから、特許法第２９条第２項の規定により特許出願の際独立して特許を受けることができないものである。  
　　  
　　  
２−４．むすび  
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
　　  
　　  
３．本願発明について  
　　  
３−１．本願発明  
　平成１９年３月１２日の手続補正は上記のとおり却下されたので、本願の請求項１に係る発明（以下「本願発明」という。）は、平成１８年２月１５日の手続補正書で補正された明細書の特許請求の範囲の請求項１に記載された事項により特定される、以下のとおりのものである。  
　　　  
「サーバから主コンテンツをダウンロードする際に顧客へ補助コンテンツを提供するシステムにおいて、
　ダウンロード管理サーバ、ユーザ情報を記憶する顧客データベース及び主コンテンツを記憶する主コンテンツ・データベースを有するサーバネットワークと、
　双方向通信ネットワークを介して前記ダウンロード管理サーバに接続して該ダウンロード管理サーバに対し通信リンクを確立するクライアント・コンソールと、
　前記クライアント・コンソールにあって、ユーザ識別子及び前記ダウンロード管理サーバからの主コンテンツのダウンロードより前に補助コンテンツを記憶する記憶装置とを備え、
　ユーザ識別子が前記クライアント・コンソールから前記ダウンロード管理サーバへアップロードされると、前記主コンテンツ・データベース内の要求された主コンテンツへのアクセスが可能になり、その要求された主コンテンツのダウンロードの際に、前記クライアント・コンソールが、前記記憶装置に記憶されている補助コンテンツを実行する、システム。」  
　　  
　　  
３−２．原査定の拒絶の理由について
　原査定の拒絶の理由の概要は以下のとおりである。
「【拒絶理由】
　この出願は、次の理由によって拒絶をすべきものである。これについて意見があれば、この通知書の発送の日から３か月以内に意見書を提出して下さい。
　　
　　　　　　　　　　　　　　　　理　由
（途中略）
Ｃ．この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　記　　　（引用文献等については引用文献等一覧参照）
請求項：１−２６
引用文献：１、２
備考：
　引用文献１には、ユーザの端末装置において検索結果や情報提供などのコンテンツデータを情報提供装置からダウンロードする際、ユーザの個人情報に基づいて決定された広告名を受信し、予め端末装置内に格納されている広告情報から当該受信した広告名に該当するデータを当該端末装置の表示部に表示する手段を備えたシステムが記載されている。
（途中略）
　したがって、本願に掲げられている構成は、いずれも、引用文献に記載あるいは示唆されている事項や、既に知られた課題や周知な構成等を任意に採用したような構成であるから、進歩性を有するものとはいえない。
　　
　拒絶の理由が新たに発見された場合には拒絶の理由が通知される。
　　
　　　　　　　　　　　引　用　文　献　等　一　覧
　　　　　　　　　１.特開２０００−１３７７２１号公報
（以下略）
　　
【拒絶査定】
　この出願については、平成１７年　８月１１日付け拒絶理由通知書に記載した理由によって、拒絶をすべきものである。
　なお、意見書及び手続補正書の内容を検討したが、拒絶理由を覆すに足りる根拠が見いだせない。
備考
・理由Ｃについて
（途中略）
　したがって、本願の請求項に掲げられた構成は、引用文献に記載あるいは示唆されている事項に基づいて容易に実現できたものであるから、依然として拒絶の理由Ｃは解消していない。」
　　
　　
３−３．引用例について  
　原査定の拒絶の理由に引用文献１として引用された引用例に記載される各摘記事項、及び引用例発明は、前記「２−３．（１）」に記載したとおりである。  
　　  
　　  
３−４．対比、判断  
　本願発明は、本願補正発明から、前記２−２．で示す事項、即ち限定的に減縮するための補正事項の構成を省いたものである。 　  
　  
　そうすると、本願発明の構成要件をすべて含み、さらに他の構成要件を付加したものに相当する本願補正発明が、上記２−３．に記載したとおり、引用例発明並びに設計的事項及び周知事項に基づいて、当業者が容易に発明をすることができたものであるから、本願発明は、本願補正発明と同様の理由により、引用例発明並びに設計的事項及び周知事項に基づいて、当業者が容易に発明をすることができたものである。  
　　  
　　  
４．むすび  
　以上のとおり、本願発明は、引用例発明並びに設計的事項及び周知事項に基づいて、当業者が容易に発明をすることができたものであるから、特許法第２９条第２項の規定により特許を受けることができない。  
　　  
　　  
　よって、結論のとおり審決する。